(57)【要約】  可変レートボコーダは、複数のエンコーディングレートでスピーチ信号をエンコードし、リバースリンク負荷を示す受信信号にしたがって、第１のエンコーディングレートから第２のエンコーディングレートに変更されるように構成されている。【選択図】      図３
2009527204.tif 000002
【特許請求の範囲】
【請求項１】
複数のエンコーディングレートでスピーチ信号をエンコードするように構成されている可変レートボコーダを具備し、
前記可変レートボコーダは、リバースリンク負荷を示す受信信号にしたがって、第１のエンコーディングレートから第２のエンコーディングレートに変更されるように構成されている装置。
【請求項２】
前記リバースリンク負荷を示す信号を受け取り、前記可変レートボコーダに命令して前記第１のエンコーディングレートから前記第２のエンコーディングレートに変更させるように構成されている処理ユニットをさらに具備する請求項１記載の装置。
【請求項３】
前記処理ユニットは、前記リバースリンク負荷を示す受信信号をフィルタするように構成されている請求項２記載の装置。
【請求項４】
前記処理ユニットは、
ｙ（ｎ）＝（１−１／τ）×ｙ（ｎ−１）＋（１／τ）×ｘ（ｎ）
にしたがって、前記リバースリンク負荷を示す受信信号をフィルタするように構成されている無限インパルス応答（ＩＩＲ）フィルタを備え、
ここで、ｎはスロット中の時間インデックスを表し、τはフィルタ時間定数を表し、ｙはＩＩＲフィルタ出力を表し、ｘはＩＩＲフィルタ入力を表す請求項３記載の装置。
【請求項５】
前記第１のエンコーディングレートは、前記第２のエンコーディングレートよりも高く、前記可変レートボコーダは、前記フィルタされたリバースリンク負荷を示す信号が、第１の時間期間に対して第１のしきい値よりも大きいとき、前記第１のエンコーディングレートから前記第２のエンコーディングレートにダウングレードするように構成されている請求項３記載の装置。
【請求項６】
前記可変レートボコーダは、前記フィルタされたリバースリンク負荷を示す信号が、第２の時間期間に対して第２のしきい値よりも小さいとき、前記第２のエンコーディングレートから前記第１のエンコーディングレートにアップグレードするように構成されている請求項５記載の装置。
【請求項７】
前記第１の時間期間は、前記第１のエンコーディングレートに関係し、前記第１の時間期間は、前記第２のエンコーディングレートに関係する前記第２の時間期間に等しくない請求項６記載の装置。
【請求項８】
前記第１の時間期間は、前記第１のエンコーディングレートから前記第２のエンコーディングレートにダウングレードすることに関係し、前記第１の時間期間は、前記第２のエンコーディングレートからダウングレードすることに関係する第３の時間期間よりも短い請求項６記載の装置。
【請求項９】
前記信号は、複数のアクセス端末と少なくとも１つの基地トランシーバ局とを備えるワイヤレス通信システムにおけるリバースリンク負荷を示し、前記リバースリンクは、前記アクセス端末から前記基地トランシーバ局に送られる信号に関連する請求項１記載の装置。
【請求項１０】
前記リバースリンク負荷を示す信号は、コード分割多元接続（ＣＤＭＡ）ＥＶ−ＤＯ通信システムにおけるリバースアクティビティビット（ＲＡＢ）を有する請求項１記載の装置。
【請求項１１】
各エンコーディングレートは容量動作ポイントに関係する請求項１記載の装置。
【請求項１２】
複数のエンコーディングレートでスピーチ信号をエンコードするように構成されている可変レートボコーダにおいて、
前記可変レートボコーダは、フィルタされたリバースリンク負荷を示す信号にしたがって、第１の動作ポイントに関係する第１のエンコーディングレートから第２の動作ポイントに関係する第２のエンコーディングレートに変更されるように構成されている可変レートボコーダ。
【請求項１３】
リバースリンク負荷を示す信号を受信することと、
前記信号を処理することと、
前記処理された信号に基づいて、第１のエンコーディングレートから第２のエンコーディングレートにスピーチ信号エンコーディングレートを変更させることと
を含む方法。
【請求項１４】
前記信号は、複数のアクセス端末と少なくとも１つの基地トランシーバ局とを備えるワイヤレス通信システムにおけるリバースリンク負荷を示し、前記リバースリンクは、前記アクセス端末から前記基地トランシーバ局に送られる信号に関連する請求項１３記載の方法。
【請求項１５】
前記処理は、
ｙ（ｎ）＝（１−１／τ）×ｙ（ｎ−１）＋（１／τ）×ｘ（ｎ）
にしたがって、前記リバースリンク負荷を示す受信信号を無限インパルス応答（ＩＩＲ）フィルタでフィルタすることを有し、
ここで、ｎはスロット中の時間インデックスを表し、τはフィルタ時間定数を表し、ｙはＩＩＲフィルタ出力を表し、ｘはＩＩＲフィルタ入力を表す請求項１３記載の方法。
【請求項１６】
前記第１のエンコーディングレートは、前記第２のエンコーディングレートよりも高く、前記方法は、前記フィルタされたリバースリンク負荷を示す信号が、第１の時間期間に対して第１のしきい値よりも大きいとき、前記第１のエンコーディングレートから前記第２のエンコーディングレートにダウングレードすることを含む請求項１３記載の方法。
【請求項１７】
前記フィルタされたリバースリンク負荷を示す信号が、第２の時間期間に対して第２のしきい値よりも小さいとき、前記第２のエンコーディングレートから前記第１のエンコーディングレートにアップグレードすることをさらに含む請求項１６記載の方法。
【請求項１８】
前記第１の時間期間は、前記第１のエンコーディングレートに関係し、前記第１の時間期間は、前記第２のエンコーディングレートに関係する前記第２の時間期間に等しくない請求項１６記載の方法。
【請求項１９】
前記第１の時間期間は、前記第１のエンコーディングレートから前記第２のエンコーディングレートにダウングレードすることに関係し、前記第１の時間期間は、前記第２のエンコーディングレートからダウングレードすることに関係する第３の時間期間よりも短い請求項１６記載の方法。
【請求項２０】
前記信号は、複数のアクセス端末と少なくとも１つの基地トランシーバ局とを備えるワイヤレス通信システムにおけるリバースリンク負荷を示し、前記リバースリンクは、前記アクセス端末から前記基地トランシーバ局に送られる信号に関連する請求項１３記載の方法。
【請求項２１】
前記リバースリンク負荷を示す信号は、コード分割多元接続（ＣＤＭＡ）ＥＶ−ＤＯ通信システムにおけるリバースアクティビティビット（ＲＡＢ）を有する請求項１３記載の方法。
【発明の詳細な説明】
【発明の分野】
【０００１】
本出願は音声エンコーディングに関連し、さらに詳細には、アクセス端末中のボコーダのための動的な容量動作ポイント管理に関連する。
【発明の背景】
【０００２】
通信システムにおいて、移動体電話機は基地局とワイヤレスに通信する。移動体電話機は、スピーチ信号をスピーチデータにエンコードする音声エンコーダ（ボコーダ）を持つ。
【発明の概要】
【０００３】
１つの観点は、複数のエンコーディングレートでスピーチ信号をエンコードするように構成されている可変レートボコーダを具備する装置に関連する。可変レートボコーダは、リバースリンク負荷を示す受信信号にしたがって、第１のエンコーディングレートから第２のエンコーディングレートに変更されるように構成されている。
【０００４】
別の観点は、リバースリンク負荷を示す信号を受信することと、信号を処理することと、処理された信号に基づいて、第１のエンコーディングレートから第２のエンコーディングレートにスピーチ信号エンコーディングレートを変更させることとを含む方法に関連する。
【０００５】
添付の図面と、以下の詳細な説明は、１つ以上の実施形態のさらなる詳細を述べる。
【詳細な説明】
【０００６】
図１は、少なくとも１つのアクセス端末（ＡＴ）１０２と、２つの基地トランシーバ局（ＢＴＳ）（もしくは基地局トランシーバサブシステム）および／またはネットワークコンポーネント１２０Ａ、１２０Ｂとを有する通信システム１００を図示する。アクセス端末１０２は、移動型または据置型であってもよい。アクセス端末１０２は、ラップトップコンピュータのような、コンピューティングデバイスに接続されていてもよく、または、コンピューティングデバイス中で実現されてもよい。代わりに、アクセス端末１０２は、移動体電話機またはパーソナルデジタルアシスタント（ＰＤＡ）のような、自己完結型のデバイスであってもよい。例えば、アクセス端末１０２は、ワイヤード電話機、ワイヤレス電話機、セルラ電話機、ワイヤレス通信パーソナルコンピュータ（ＰＣ）カード、外部または内部モデム等であってもよい。アクセス端末１０２は、ユーザに通信を提供する何らかのデバイスであってもよい。アクセス端末１０２は、移動局、アクセスユニット、加入者ユニット、移動体デバイス、移動端末、移動ユニット、移動体電話機、移動体、遠隔局、遠隔端末、遠隔ユニット、ユーザデバイス、ユーザ装置、手持ちデバイス等のような、さまざまな名称を持っていてもよい。
【０００７】
アクセス端末１０２は、ボコーダ１０４、マイクロプロセッサ１０６、デジタル信号プロセッサ（ＤＳＰ）１０８、制御装置１１０、およびメモリ１１２を含んでもよい。ここで説明する方法を、図１および２に示した１つ以上のコンポーネントによって実現してもよい。図１に示したコンポーネントの代わりに、または、図１に示したコンポーネントに加えて、アクセス端末１０２中で、他のコンポーネントを実現してもよい。
【０００８】
基地トランシーバ局１２０を、基地局（ＢＳ）またはアクセスポイント（ＡＰ）として呼んでもよい。図１中の基地トランシーバ局１２０は、通信ネットワークの一部であってもよく、通信ネットワークは、少なくとも１つの基地局制御装置（ＢＳＣ）、または無線ネットワーク制御装置（ＲＮＣ）も含んでもよい。他の通信ネットワークは、移動体スイッチングセンター（ＭＳＣ）、またはパケットデータ供給ノード（ＰＤＳＮ）を含んでもよい。以下で説明する方法を、回線交換網またはパケット交換網において実現してもよい。
【０００９】
図２は、図１のアクセス端末中１０２中に含まれてもよい、いくつかのコンポーネントを図示する。図２中のコンポーネントは、（以後集合的にＩＳ−９５として呼ぶ）米国電気通信工業会 無線インターフェース標準規格ＴＩＡ／ＥＩＡ暫定標準規格９５と、例えばＩＳ−９５ＢのようなＩＳ−９５の派生物とにおいて説明されるような、可変レートのコード分割多元接続（ＣＤＭＡ）送信を可能にしてもよい。図２に示したコンポーネントの代わりに、または、図２に示したコンポーネントに加えて、アクセス端末１０２中で他のコンポーネントを実現してもよい。
【００１０】
図２中のマイクロフォン２００は、スピーチ信号を検出し、スピーチ信号は、アナログデジタルコンバータ（ＡＤＣ）によって、サンプリングされ、デジタル化される。可変レートボコーダ２０２は、スピーチのデジタル化サンプルを可変レートでエンコードして、等しいフレーム長を有するエンコード化スピーチデータのパケットを提供する。例えば、可変レートボコーダ２０２は、線形予測コーディング（ＬＰＣ）技術を使用して、入力スピーチのデジタル化サンプルを、入力音声信号を表すデジタル化スピーチパラメータに変換してもよい。１つの実施形態では、可変レートボコーダ２０２は、米国特許第5,414,796号に説明されたボコーダに基づいており、この特許は本発明の譲受人に譲渡されており、ここで参照によって組み込まれている。
【００１１】
可変レートボコーダ２０２は、４つの可能性あるパケットレート、９６００ビット毎秒（ｂｐｓ)、４８００ ｂｐｓ、２４００ ｂｐｓ、および１２００ ｂｐｓにおいて、可変レートデータパケットを提供してもよく、これらを、フル、１／２、１／４、および１／８レートとして呼ぶ。フルレートでエンコードされたパケットは、１７２個の情報ビットを含んでもよい。１／２レートでエンコードされたパケットは、８０個の情報ビットを含んでもよい。１／４レートでエンコードされたパケットは、４０個の情報ビットを含んでもよい。１／８レートでエンコードされたパケットは、１６個の情報ビットを含んでもよい。パケットはサイズに関わらず、継続期間、すなわち２０ミリ秒において、すべて１フレーム長であってもよい。
【００１２】
パケット中に含まれるデータを圧縮するために、パケットは異なるレートでエンコードされ、そして送信されるが、このことは、フレームによって表される情報の複雑さ、または情報の量に部分的に基づいていてもよい。例えば、おそらくは話者が話していないために、入力音声信号がわずかな変化しか含まない、または全く変化を含まない場合、対応するパケットの情報ビットは、１／８レートで圧縮され、エンコードされてもよい。この圧縮は、音声信号の対応する部分の分解能の損失をもたらす。しかしながら、音声信号の対応する部分は、わずかな変化しか含まない、または全く変化を含まないので、信号分解能の低下は、一般的に目立つものではない。代わりに、おそらくは、話者が活発にしゃべっているために、対応する入力音声信号のパケットが、かなりの情報を含む場合、パケットはフルレートでエンコードされてもよく、よりよい音声品質を達成するために、入力スピーチの圧縮は減少される。
【００１３】
圧縮およびエンコーディングを使用して、複数のアクセス端末によって、任意のある時間において送信される平均情報量を制限し、このことにより、送信システムの全体の帯域をより効率的に利用できるようになる。このことにより、例えば、任意のある時間において、より多数の電話通話を処理できるようになる。
【００１４】
ボコーダ２０２によって発生された可変レートパケットがパケタイザ２０４に提供され、パケタイザ２０４は、巡回冗長検査（ＣＲＣ）ビットと、テールビットとを、パケットに選択的に付加してもよい。次に、パケタイザ２０４からの可変レートパケットがエンコーダ２０６に提供され、エンコーダ２０６は受信機におけるエラー検出および訂正のために、可変レートパケットのビットをエンコードする。１つの実施形態では、エンコーダ２０６は、１／３レートの畳み込みエンコーダである。次に、畳み込みエンコードされたシンボルが、米国特許第5,103,459号および第4,901,307号で説明された拡散器のような、ＣＤＭＡ拡散器２０８に提供される。ＣＤＭＡ拡散器２０８は、エンコードされたシンボルをウォルシュシンボルにマッピングし、次に、擬似ランダム雑音（ＰＮ）コードにしたがって、ウォルシュシンボルを拡散する。
【００１５】
反復発生器２１０は拡散パケットを受け取る。反復発生器２１０は、フルレートよりも少ないパケットに対して、パケット中のシンボルの複製を発生させ、一定のデータレートのパケットを提供する。
【００１６】
反復発生器２１０は、拡散データパケットをより小さいサブパケットに分割することにより前述した冗長性を提供してもよい。
【００１７】
米国特許第5,659,569号において説明したフィルタのような有限インパルス応答（ＦＩＲ）フィルタ２１４に、パケットが提供される。この特許は本発明の譲受人に譲渡されている。次に、フィルタされた信号がデジタルアナログコンバータ（ＤＡＣ）２１６に提供され、アナログ信号に変換される。次に、アナログ信号が送信機２１８に提供され、送信機２１８は信号をアップコンバートし、増幅して、１つ以上のアンテナを通して送信する。
【００１８】
ＩＳ−７３３（Ｑｃｅｌｐ１３ｋ）ボコーダは、スピーチ品質に対してシステム容量をトレードオフするために、異なる動作ポイントを提供する。いくつかの通信システムでは、無線アクセスネットワーク（ＲＡＮ）におけるアルゴリズムが、１つ以上のアクセス端末における可変レートボコーダの動作ポイント、すなわちエンコーディングレートを制御してもよい。これらのシステムでは、基地トランシーバ局（ＢＴＳ）が、リバースリンク負荷を測定し、負荷をＢＳＣにレポートする。次に、ＢＳＣは、リバースリンクシステム負荷に基づいて、レイヤ３メッセージを送って、ＡＴにおける動作ポイントを変更させてもよい。
【００１９】
アクセス端末における、第４世代（４Ｇ）コード分割多元接続（ＣＤＭＡ）ボコーダ（４ＧＶ）（拡張可変レートコーデック（ＥＶＲＣ）としても呼ばれる）は、システム容量に対してスピーチ品質をトレードオフするために、８個の個別の容量動作ポイント（ＣＯＰ）が構成されるようにしてもよい。８個の動作ポイントの例は、“広帯域拡散スペクトラムデジタルシステムのための拡張可変レートコーデック、スピーチサービスオプション３および６８”と題された３ＧＰＰ２ドキュメントC10-20051205-107_C.P0014-B バージョン０．５に説明されている。
【表１】
2009527204.tif 000003
【００２０】
ＲＡＴＥ＿ＲＥＤＵＣ＝“０００”およびＲＡＴＥ＿ＲＥＤＵＣ＝“１１１”のときサービスオプション６８動作は、１／４レートを使用しない。１／４レートフレームが許容されないこともあるＩＳ−９５システムで、１／４レートを使用することができる。
【００２１】
以下の開示は、リバースリンク負荷に基づいて、ＣＯＰを選択または切替する方法を説明する。拡張可変レートコーデックのような、可変レートエンコーダを有するアクセス端末において、この方法を使用してもよい。この方法は、スピーチ品質とリバースリンク容量との動的なトレードオフを可能にする。
【００２２】
図３は、図１のシステム１００に関係する方法を図示する。図１および２に示した１つ以上のコンポーネントによって、この方法を実行してもよい。ブロック３００において、ＡＴ１０２は、２つ以上の基地トランシーバ局１２０Ａ、１２０Ｂから１つ以上のリバースアクティビティビット（ＲＡＢ）を受信する。基地トランシーバ局１２０は、１つ以上のＡＴによって送信されたリバースリンク信号のシステム容量または負荷を測定し、ＡＴ１２０に測定リバースリンク負荷を示すＲＡＢを送る。ＲＡＢは、ＩＳ−８５６−Ａ、すなわち、ＣＤＭＡ２０００ １ｘ ＥＶ−ＤＯ ＲｅｖＡのような、公表された標準規格において説明されている。
【００２３】
ＲＡＢの代わりに、またはＲＡＢに加えて、他のタイプの通信システムにおけるリバースリンク容量または負荷を示す、他の信号を使用してもよい。例えば、他のタイプのワイヤレス通信システムは、広帯域ＣＤＭＡ（ＷＣＤＭＡまたはＵＭＴＳ）、高速ダウンリンクパケットアクセス（ＨＳＤＰＡ）、高速アップリンクパケットアクセス（ＨＳＵＰＡ）、ＷｉＦｉ８０２．１１、またはＷｉＭＡＸ８０２．１６システムを含んでもよい。
【００２４】
ブロック３０２において、ＡＴ１０２は１つ以上の受信ＲＡＢに基づいて、クイックＲＡＢ（ＱＲＡＢ）を導出する。ブロック３０４において、ＡＴ１０２は、１つ以上のＱＲＡＢをフィルタして、フィルタされたＲＡＢ（Ｆ＿ＲＡＢ）を導出する。フィルタリングは、以下のような無限インパルス応答（ＩＩＲ）フィルタに基づいている：  
ｙ（ｎ）＝（１−１／τ）×ｙ（ｎ−１）＋（１／τ）×ｘ（ｎ）  
ここで、ｎはスロットまたはサブフレーム中の時間インデックスを表し、τはフィルタ時間定数を表し、ｙはＩＩＲフィルタ出力を表し、ｘはＩＩＲフィルタ入力を表す。このフィルタに対する入力変数ｘ（ｎ）は、ＩＳ−８５６−Ａにおいて規定されているように、ＱＲＡＢ＿ｎである。ＦＲＡＢは指定されたフィルタ時間定数を持つ。図３の方法は、異なる時間定数を使用してもよく、したがって、Ｆ＿ＲＡＢのような異なる表記をここで使用してもよい。ＱＲＡＢ＿ｎは、ＡＴのアクティブな組とは無関係であることに留意すべきであり、ＡＴのアクティブな組は、しきい値信号強度を超える信号をＡＴ１０２に送信する１つ以上の基地トランシーバ局の組１２０Ａ、１２０Ｂである。ＱＲＡＢ＿ｎは、アクティブな組におけるセクタ全体にわたってマージされた値である（各基地トランシーバ局１２０は、複数のセクタを持っていてもよい）。チャネル変化および爆発的なトラフィックによる、高速な変化を平均的にするために、このフィルタの時間定数は、１−２秒よりも大きくなければならない。
【００２５】
ＡＴ１０２は、フィルタされたＲＡＢの関数として、その可変レートボコーダ１０４のＣＯＰを動的に変更させてもよい。ＡＴ１０２は、ReverseLoadUpgradeThresholdおよびReverseLoadDownGradeThresholdのようなパラメータまたは変数と、ＣＯＰごとのTimeToTriggerForDownGradeおよびＣＯＰごとのTimeToTriggerForUpGradeのようなタイマーとの組で、構成されていてもよい。
【００２６】
ブロック３０６において、Ｆ＿ＲＡＢ ｙ（ｎ）が、第１の時間期間（現在のＣＯＰのためのTimeToTriggerDownGrade）に対して第１のしきい値（ReverseLoadDownGradeThreshold）よりも大きい場合、ＡＴ１０２が、最小ＣＯＰで構成されていない限り、または‘１１１’でない限り、ブロック３１６において、ＡＴ１０２は、ＣＯＰをダウングレードする。ブロック３１６において、タイマーおよびフィルタをリセットする。ブロック３１０において、ＡＴ１０２は、第１のタイマー（現在のＣＯＰのためのTimeToTriggerDownGrade）がセットされているか否かを決定する。ブロック３１２において、ＡＴ１０２は、第１のタイマーをセットする。ブロック３１４において、ＡＴ１０２は、第１のタイマー（現在のＣＯＰのためのTimeToTriggerDownGrade）が満了しているか否かを決定する。
【００２７】
図４は、図１のアクセス端末１０２のための複数の動作ポイント、例えばＣＯＰ、または状態を図示する。上の表において示したように、ＣＯＰ ０００は、このＣＯＰの組のうちで最も高いエンコーディングレートを持っており、ＣＯＰ １１１は、このＣＯＰの組のうちで最も低いエンコーディングレートを持っている。図４において、ＣＯＰ ０００は、（高エンコーディングレートのために）高スピーチ品質を有し、高システム容量を使用するＣＯＰであってもよい。初期状態は、ＣＯＰ ０００である必要はない。ＣＯＰの任意のものが初期状態であってもよい。Ｆ＿ＲＡＢがリバース負荷ダウングレードしきい値よりも大きく、ＣＯＰ ０００のダウングレードをトリガする時間が満了している場合、ＣＯＰ ０００はＣＯＰ ００１に遷移してもよい。ＣＯＰ ００１は、より低いエンコーディングレート（上の表を参照）、より低いスピーチ品質を有し、より少ないシステム容量を使用するダウングレードを表す。Ｆ＿ＲＡＢがリバース負荷アップグレードしきい値よりも小さく、ＣＯＰ ００１のアップグレードをトリガする時間が満了している場合、ＣＯＰ ００１は、ＣＯＰ ０００に遷移してもよい。新しい状態に入ったとき、または、リバース方向においてしきい値を横切ったとき、DownGradeTimerおよびUpGradeTimerをリセットする。状態が変更されたとき、ＱＲＡＢフィルタをゼロにリセットする。このことはＱＲＡＢが、−１（ロードされていない）または＋１（ロードされた）の値を持っていることを仮定する。
【００２８】
ブロック３１８において、Ｆ＿ＲＡＢ ｙ（ｎ）が、第２の時間期間（現在のＣＯＰのためのTimeToTriggerUpGrade）に対して第２のしきい値（ReverseLoadUpgradeGradeThreshold）よりも小さい場合、ＡＴ１０２が、最大のＣＯＰを有するように構成されていない限り、または、ＣＯＰ‘０００’でない限り、ブロック３２８において、ＡＴ１０２は、ＣＯＰをアップグレードする。ブロック３２８において、タイマーとフィルタをリセットする。ブロック３２２において、ＡＴ１０２は、第２のタイマー（現在のＣＯＰのためのTimeToTriggerUpGrade）がセットされているか否かを決定する。ブロック３２４において、ＡＴ１０２は、第２のタイマーをセットする。ブロック３２６において、ＡＴ１０２は、第２のタイマー（現在のＣＯＰのためのTimeToTriggerUpGrade）が満了しているか否かを決定する。
【００２９】
TimeToTriggerUpGrade、およびTimeToTriggerDownGradeは、Ｆ＿ＲＡＢ ｙ（ｎ）が、それぞれ、ReverseLoadUpGradeThreshold、またはReverseLoadDownGradeThresholdを横切ったときに開始するタイマーである。ブロック３０８および３２０において示したように、リバース方向でしきい値を横切ったとき（または、状態の変更が実行されたとき）これらのタイマーをリセットする。
【００３０】
上で提案したパラメータが、モード変更のためのヒステリシスを調整してもよい。タイマーは、現在のＣＯＰの関数であってもよい。例えば、ＣＯＰ状態がダウングレードされるにつれて、より低い品質のＣＯＰへの遷移に対して、トリガする時間がより長くてもよい。ＣＯＰ ００１から０１０にトリガする時間期間は、ＣＯＰ ０００から００１にトリガする期間より長くなってもよい。このことは、品質のゆっくりとした劣化を可能にする。他方、より素早い回復を可能にするために、負荷から回復する方向において、トリガする時間しきい値をより短くセットすることができる。
【００３１】
フィルタされたＱＲＡＢ＿ｎが＋１に近いとき、リバースリンクは、ＡＴ１０２の近傍にロードされる。ＣＯＰをダウングレードすることにより、ＡＴ１０２は、より低いアクティビティレートにおいて送信し、これは、スピーチ品質を犠牲にして、リバース容量の使用量をより少なくする。システムが回復するとき、ＡＴ１０２は、ＣＯＰをアップグレードし、容量を犠牲にして、スピーチ品質を改善する。
【００３２】
他の実施形態では、８つの動作ポイントより多くのもの、または、８つの動作ポイントより少ないものを使用してもよい。別の実施形態では、１組の数の個別の動作ポイントの代わりに、動作状態の連続的範囲を使用してもよい。
【００３３】
当業者は、さまざまな異なる技術および技法を使用して情報および信号を表してもよいことを理解するだろう。例えば、上の説明を通して参照された、データ、命令、コマンド、情報、信号、ビット、シンボルおよびチップは、電圧、電流、電磁波、磁界または磁気の粒子、光学界または光の粒子、あるいはこれらの何らかの組み合わせにより、表してもよい。
【００３４】
ここで開示した実施形態に関連して述べられた、さまざまな例示的な論理ブロック、モジュール、回路およびアルゴリズムステップが、電子ハードウェア、コンピュータソフトウェア、あるいは双方の組み合わせたものとして実現されてもよいことを当業者はさらに正しく認識するであろう。ハードウェアおよびソフトウェアの交換可能性を明確に図示するために、さまざまな例示的なコンポーネント、ブロック、モジュール、回路およびステップを一般的にこれらの機能に関して上述した。このような機能がハードウェアあるいはソフトウェアとして実現されるか否かは、特定の応用および全体的なシステムに課せられた設計の制約に依存する。当業者は、それぞれの特定の応用に対して方法を変化させて、述べてきた機能を実現してもよいが、このような実現決定は、本発明の範囲からの逸脱を生じさせるものとして解釈すべきではない。
【００３５】
ここで開示した実施形態に関連して述べた、さまざまな例示的な論理的ブロック、モジュールおよび回路は、汎用プロセッサ、デジタル信号プロセッサ（ＤＳＰ）、特定用途向け集積回路（ＡＳＩＣ）、フィールドプログラム可能ゲートアレイ（ＦＰＧＡ）または他のプログラム可能論理デバイス、ディスクリートゲートまたはトランジスタ論理、ディスクリートハードウェアコンポーネント、あるいは、ここで述べてきた機能を実施するために設計されたこれらの組み合わせで、実現されるか、あるいは、実施されてもよい。汎用プロセッサはマイクロプロセッサであってもよいが、代替実施形態では、プロセッサは、何らかの従来のプロセッサ、制御装置、マイクロ制御装置、状態機械であってもよい。プロセッサはまた、コンピューティングデバイスの組み合わせとして、例えば、ＤＳＰとマイクロプロセッサの組み合わせ、複数のマイクロプロセッサ、ＤＳＰコアを備えた１つ以上のマイクロプロセッサ、あるいは、このような構成の他の何らかのものとして実現してもよい。
【００３６】
ここで開示した実施形態と関連して述べた方法またはアルゴリズムのステップは、直接、ハードウェアで、プロセッサにより実行されるソフトウェアモジュールで、あるいは、２つの組み合わせで具体化してもよい。ソフトウェアモジュールは、ＲＡＭメモリ、フラッシュメモリ、ＲＯＭメモリ、電気的プログラム可能ＲＯＭ（ＥＰＲＯＭ）メモリ、電気的消去可能プログラム可能ＲＯＭ（ＥＥＰＲＯＭ）メモリ、レジスタ、ハードディスク、リムーブバルディスク、ＣＤ−ＲＯＭ、あるいは、技術的に知られている他の何らかの形態の記憶媒体に存在していてもよい。例示的な記憶媒体は、プロセッサが記憶媒体から情報を読み取り、記憶媒体に情報を書き込むことができるようにプロセッサに結合される。代替実施形態では、記憶媒体はプロセッサと一体化されてもよい。プロセッサおよび記憶媒体は、ＡＳＩＣに存在してもよい。ＡＳＩＣはユーザ端末に存在してもよい。代替実施形態では、プロセッサおよび記憶媒体は、ユーザ端末中のディスクリートコンポーネントとして存在してもよい。
【００３７】
開示した実施形態のこれまでの記述は、当業者が本発明を製作または使用できるように提供した。これらの実施形態に対するさまざま改良は当業者に容易に明らかとなり、ここに定義された一般的な原理は、本発明の精神および範囲を逸脱することなく、他の実施形態に適用されてもよい。したがって、本発明はここに示された実施形態に限定されることを意図しているものではなく、ここで開示されている原理および新しい特徴と一致した最も広い範囲に一致させるべきである。
【図面の簡単な説明】
【００３８】
【図１】図１は、少なくとも１つのアクセス端末と、少なくとも２つの基地トランシーバ局とを有する通信システムを図示する。
【図２】図２は、図１のアクセス端末中に含まれてもよい、いくつかのコンポーネントを図示する。
【図３】図３は、図１のシステムに関係する方法を図示する。
【図４】図４は、図１のアクセス端末のための複数の動作ポイントまたは状態を図示する。
【図１】
2009527204.tif 000004
【図２】
2009527204.tif 000005
【図３】
2009527204.tif 000006
【図４】
2009527204.tif 000007
【国際調査報告】
2009527204.tif 000008
2009527204.tif 000009
2009527204.tif 000010